(57)【要約】【課題】出力信号が微弱で増幅器を必要とするセンサを用いる場合に、センサから増幅器までのケーブル長さを短くでき、かつ、増幅器も省スペースに納めることができるようにする。かつ、各種の筐体構造にも適用可能な汎用性を持たせるようにする。【解決手段】可動部分を有する電子装置の状態を検知する状態検知センサがその電子装置に取り付けられ、状態検知センサからの出力を増幅する増幅手段が、その電子装置に固定される固定手段に実装されるように構成する。【選択図】図２
2011118965.tif 000002
【特許請求の範囲】
【請求項１】
可動部分を有する電子装置の状態を検知する状態検知センサが該電子装置に取り付けられ、前記状態検知センサからの出力を増幅する増幅手段が、前記電子装置に固定される固定手段に実装されたことを特徴とする状態検知システム。
【請求項２】
前記固定手段は、雄型コネクタおよび雌型コネクタが実装された中継コネクタユニットであり、
前記電子装置には前記雄型コネクタおよび前記雌型コネクタの何れか一方のコネクタにより接続され、他方のコネクタは該一方のコネクタによる入力信号を出力するよう構成されたことを特徴とする請求項１記載の状態検知システム。
【請求項３】
前記中継コネクタユニットは、中継基板であり、
該中継基板に前記増幅手段が実装されたことを特徴とする請求項２記載の状態検知システム。
【請求項４】
前記増幅手段からの出力を規格に定められた接続端子により出力する規格出力手段を備えたことを特徴とする請求項１から３の何れか１項に記載の状態検知システム。
【請求項５】
前記電子装置は、ハードディスクドライブであり、
前記状態検知センサは、振動検知センサであることを特徴とする請求項１から４の何れか１項に記載の状態検知システム。
【請求項６】
雄型コネクタと、
雌型コネクタと、
電子装置に取り付けられた状態検知センサからの出力信号を増幅する増幅手段と、
を備え、
前記電子装置には前記雄型コネクタおよび前記雌型コネクタの何れか一方のコネクタにより接続され、他方のコネクタは該一方のコネクタによる入力信号を出力するよう構成されたことを特徴とする中継コネクタユニット。
【請求項７】
前記中継コネクタユニットは、中継基板であり、
前記雄型コネクタと、前記雌型コネクタと、前記増幅手段とが、前記中継基板に実装されたことを特徴とする請求項６記載の中継コネクタユニット。
【発明の詳細な説明】
【技術分野】
【０００１】
本発明は、例えばＨＤＤ（Hard Disk Drive）などの電子装置の状態をセンサにより検知する状態検知システム、およびそのシステムに用いられる中継コネクタユニットに関する。
【背景技術】
【０００２】
ＨＤＤなど磁気ディスク装置の障害検出を行う方式として、中央処理装置から磁気ディスク媒体の固定領域に一定周期毎にアクセスするものがある（例えば、特許文献１参照）。
【０００３】
また、内部機構を容易に脱着でき、配線接続部にストレスがかからないようにすることを目的とした内部機構引き出し型計器として、内部機構の後端にマザーボードを設け、外箱側に設けた中継基板とこのマザーボードとにそれぞれコネクタを設けることにより、内部機構と外箱とをコネクタで接続できるようにしたものがある（例えば、特許文献２参照）。
【先行技術文献】
【特許文献】
【０００４】
【特許文献１】特開平３−２７３３２８号公報
【特許文献２】特開２００９−１２８１７３号公報
【発明の概要】
【発明が解決しようとする課題】
【０００５】
しかしながら、上述した特許文献１の障害検出は、磁気ディスク媒体へのアクセス障害が発生した時に検出するものであり、実際に障害が発生する以前に故障発生を予測するためには、振動検知などのより高精度な作動状態検知が必要となる。
【０００６】
こうした高精度な状態検知を行う場合、検知するセンサが高感度であることが要求される。こうした高感度センサは出力信号が微弱であり、出力信号を増幅器により一度増幅する必要がある。また、センサから増幅器までのケーブル長さは、微弱な出力信号にノイズが混入することを防止するため、なるべく短いことが望ましい。
【０００７】
図５に、ＨＤＤの近傍の空きスペースとして、隣接するドライブスロットに増幅器を配置し、ＨＤＤ表面に固定された振動検知センサからの出力を接続した構成例を示す。
【０００８】
このように、センサから増幅器までのケーブルを極力短くしようとすると、隣接するドライブスロットなどＨＤＤ近傍に別途スペースが必要となり、省スペース化が困難となる虞があった。
また、各種の筐体構造に応じて、ＨＤＤ近傍での空きスペースの確保を個別に考える必要があり、汎用性に欠ける問題があった。
【０００９】
また、上述した特許文献２のものは、外箱から内部機構を引き出せるようにするために折りたたんだ長いケーブルで接続していたのを、コネクタ接続として配線をシンプルにするものであり、出力信号が微弱なセンサと増幅器とを近い距離に配置する必要がある場合についてまで考慮されたものではなかった。
【００１０】
本発明はこのような状況に鑑みてなされたものであり、出力信号が微弱で増幅器を必要とするセンサを用いる場合であっても、センサから増幅器までのケーブル長さを短くでき、かつ、増幅器も省スペースに納めることができ、それでいて各種の筐体構造にも適用可能な汎用性に優れた状態検知システムおよび中継コネクタユニットを提供することを目的とする。
【課題を解決するための手段】
【００１１】
かかる目的を達成するために、本発明に係る状態検知システムは、可動部分を有する電子装置の状態を検知する状態検知センサが該電子装置に取り付けられ、上記状態検知センサからの出力を増幅する増幅手段が、上記電子装置に固定される固定手段に実装されたことを特徴とする。
【００１２】
また、本発明に係る中継コネクタユニットは、雄型コネクタと、雌型コネクタと、電子装置に取り付けられた状態検知センサからの出力信号を増幅する増幅手段と、を備え、上記電子装置には上記雄型コネクタおよび上記雌型コネクタの何れか一方のコネクタにより接続され、他方のコネクタは該一方のコネクタによる入力信号を出力するよう構成されたことを特徴とする。
【発明の効果】
【００１３】
以上のように、本発明によれば、出力信号が微弱で増幅器を必要とするセンサを用いる場合であっても、センサから増幅器までのケーブル長さを短くでき、かつ、増幅器も省スペースに納めることができる。さらに、各種の筐体構造にも適用可能な汎用性に優れた状態検知システムとすることができる。
【図面の簡単な説明】
【００１４】
【図１】本発明の実施形態の構成概略を示すブロック図である。
【図２】１台のＨＤＤに本実施形態を適用した例を示すブロック図である。
【図３】本実施形態による中継基板を示す正面図、平面図、底面図、側面図である。
【図４】２台のＨＤＤがドライブスロットに実装された構成に本実施形態を適用した例を示す正面図、平面図、側面図である。
【図５】従来構成として隣接するドライブスロットに増幅器を配置した例を示す図である。
【発明を実施するための形態】
【００１５】
次に、本発明に係る状態検知システムおよび中継コネクタユニットを、ＰＣ内部に取り付けられるＨＤＤに適用した一実施形態について、図面を用いて詳細に説明する。
【００１６】
まず、本実施形態の概略について説明する。
本実施形態は、図１に示すように、電子装置の動作状態を検知する状態検知センサが電子装置の表面に取り付けられ、電子装置に固定される固定手段が取り付けられている。その固定手段に、状態検知センサからの出力を増幅する増幅器が実装されて構成される。
【００１７】
このため、状態検知センサからの出力を数ｃｍの長さの接続ケーブルで増幅器に入力させることができ、出力信号が微弱であってもノイズの混入を防止できるようになっている。
また、増幅器を固定手段に実装するため、電子装置が取り付けられる筐体内の他の部分の構造に関わりなく省スペースに設置でき、汎用性に優れたシステムを提供することができる。
【００１８】
次に、本実施形態としての状態検知システムを適用したＨＤＤ周りの構成について、図２、図３を参照して説明する。
【００１９】
ＨＤＤ１は、市販されている各種のものを用いることができる。このＨＤＤ１に、ＨＤＤの振動を検知する振動検知センサ２が取り付けられる。取付位置は、ＨＤＤ１の表面であれば任意の場所であってよい。振動検知センサ２は、例えば厚さ３ｍｍ程度などの薄型のものであることが好ましい。
【００２０】
ＨＤＤ１のコネクタには、中継基板３の雄型コネクタ３１が接続される。この雄型コネクタ３１がＨＤＤ１のコネクタに接合されることにより、中継基板３はＨＤＤ１に固定される。雄型コネクタ３１の電気接点はそのまま雌型コネクタ３２に接続され、雌型コネクタ３２は、雄型コネクタ３１による入力信号をそのまま出力するよう構成される。この雌型コネクタ３２がＨＤＤ１のコネクタと同形状であるため、ＨＤＤ１に直接接続するために用いられるＨＤＤ用ケーブル５を雌型コネクタ３２に接続し、ＨＤＤ１に直接ケーブルを接続しているのと同様に機能させることができる。
【００２１】
ＨＤＤ１のコネクタ、および対応する雄型コネクタ３１、雌型コネクタ３２は、例えばＩＤＥ（Integrated Device Electronics）やＳＡＴＡ（Serial Advanced Technology Attachment）といった規格によるデータ通信用コネクタ、電源供給用コネクタなど、規格等に応じて任意の数が設けられた構成であってよい。
【００２２】
また、図３の例では、中継基板３に実装される雄型コネクタ３１が、基板平面方向に垂直な方向を向くように設けられ、雌型コネクタ３２が、基板平面方向と平行な方向を向くように設けられた構成例を示すが、中継基板３をＨＤＤ１に固定することができれば各コネクタの方向は任意であってよい。
【００２３】
中継基板３には、増幅器３４が設けられ、センサ接続ケーブル３３から入力される振動検知センサ２からの出力信号を増幅する。増幅器３４からの出力信号は、ＵＳＢ（登録商標）ケーブルによる出力信号に変換され、ＵＳＢコネクタ（規格出力手段）３５に接続されるＵＳＢケーブル４により出力される。
【００２４】
次に、本実施形態を用いたＨＤＤの故障予測について説明する。
ＨＤＤ１内では、例えば５４００ｒｐｍや７２００ｒｐｍなどの所定の回転数で磁気ディスクが回転しているため、この回転数に同期した周波数の振動が発生する。振動検知センサ２によりこの回転数に同期した周波数以外の周波数による振動が検出された場合、故障予測ソフトウェアは異常振動として認識する。
【００２５】
振動検知センサ２は、こうした異常振動を高精度に検知するため、高感度センサであることが要求される。できれば、およそ１〜２０ｍＶ／ｍ・ｓ2程度の感度を有するものが好ましい。
【００２６】
このように、振動検知センサ２による出力信号が微小であるため、振動検知センサ２による出力は増幅器３４を経由して増幅された後、故障予測を行う機能部分に出力される。この故障予測を行う機能部分は、マザーボードに実装されたＣＰＵ（不図示）等により、公知の故障予測ソフトウェアを用いて処理することなどにより実現されてよい。
【００２７】
また、上述のように振動検知センサ２による出力信号が微小であるため、振動検知センサ２から増幅器３４までのセンサ接続ケーブル３３による伝送途中でのノイズの混入を極力小さく抑えることが要求される。このため、増幅器３４までのセンサ接続ケーブル３３の長さは数ｃｍ、できれば１０ｃｍ以内であることが好ましい。
【００２８】
特にＰＣの筐体内部は多数の部品間で信号の送受信が行われているため、多様な電磁波が発生し、ノイズの影響が大きくなる可能性が考えられる。このため、異常振動の検知精度を高めて故障予測の精度を向上させるためには、振動検知センサ２から増幅器３４までのケーブル長さが上述のように短いことが特に好ましい。
【００２９】
以上のように、本実施形態では、中継基板３が、ＨＤＤ１のコネクタによる入出力をスルーさせる雄型コネクタ３１および雌型コネクタ３２を備えることにより、ＨＤＤ１のすぐ隣の位置に固定される。このことにより、この中継基板３に実装された増幅器３４がＨＤＤ１のすぐ隣の距離に固定されることとなる。
【００３０】
このため、本実施形態によれば、ＨＤＤ１表面に取り付けられた振動検知センサ２から増幅器３４までのセンサ接続ケーブル３３の長さを短くできるため、高感度な振動検知センサ２を用いて、ＨＤＤ１の故障予測を高精度に行うことができる。
【００３１】
また、振動検知センサ２からのセンサ接続ケーブル３３が短い長さで中継基板３に接続され、その中継基板３にＵＳＢケーブル４と、ＨＤＤ１のコネクタに接続するケーブルとが接続されるため、不要に長い多数のケーブルがぶらぶらして絡まったり、筐体内でスペースをとり過ぎてしまうことなく、配線をコンパクトかつシンプルにまとめることができる。
【００３２】
このため、本実施形態を適用したＨＤＤをコンピュータ装置に実装した場合にも、冷却のための空気循環を妨げることなく、良好な温度環境を提供することができる。
また、ユーザがＰＣ筐体内の他の部分について増設等を行う場合にも作業のしやすい便利な筐体とすることができる。
【００３３】
また、本実施形態の状態検知システムは、ＨＤＤ１に固定された中継基板３に、例えばＳＡＴＡやＩＤＥといったＨＤＤからのデータ通信規格に定められたケーブルと、ＨＤＤ用の電源供給ケーブルと、ＵＳＢといった規格に定められたケーブルとを接続する構成であるため、汎用性に優れたシステムを提供することができる。
【００３４】
また、ＨＤＤ１を標準的なドライブスロットに実装でき、そのＨＤＤに固定された中継基板３に上述のように規格に定められた各種ケーブルを接続するため、各種の筐体に適用する場合であっても各筐体に合わせた設計変更の必要がなく、汎用性に優れた状態検知システムを提供することができる。
【００３５】
なお、上述した各実施形態は本発明の好適な実施形態であり、本発明はこれに限定されることなく、本発明の技術的思想に基づいて種々変形して実施することが可能である。
【００３６】
例えば、上述した構成例では、ＨＤＤが１台のみの場合について説明したが、図４に例示するように、１台目の内蔵ＨＤＤに増設ＨＤＤを加えた場合であっても、本実施形態は同様に適用することができる。
【００３７】
図４に示す構成例では、２台をまとめて収納するドライブスロットに内蔵ＨＤＤ１ａと増設ＨＤＤ１ｂとが収納された状態を示す。ここで、上述した図３に示すように、中継基板３に実装される雄型コネクタ３１が、基板平面方向に垂直な方向を向くように設けられ、雌型コネクタ３２が、基板平面方向と平行な方向を向くように設けられているため、２つの中継基板３における雄型コネクタ３１の高さをそれぞれ異なるものとすることにより、雌型コネクタ３２へのケーブル接続がぶつからないようにしている。
【００３８】
このように、上述した実施形態は、ＨＤＤが複数設けられた構成であっても適用することができ、図２、図３により上述した構成例と同様の効果を得ることができる。
【００３９】
また、上述した実施形態では、増幅器３４からの出力信号がＵＳＢコネクタ３５から出力されることとして説明したが、データ通信の規格に定められた接続端子により出力することができればＵＳＢに限定されず、任意の規格によるコネクタを用いてよい。
また、コネクタを用いずにケーブルが中継基板３に接続された構成であってもよい。
【００４０】
また、上述した実施形態では、中継基板３に増幅器３４が設けられることとして説明したが、図１により上述したように、ＨＤＤ１に固定手段が固定され、ＨＤＤ近傍に増幅器３４を固定することができればその固定手段は中継基板に限定されず、例えばクリップ形状のものや、粘着部を有する各種形状の部材などであってもよい。
【００４１】
また、上述した実施形態では、振動検知センサ２によりＨＤＤの振動を検知し、故障予測を行うこととして説明したが、検知対象とする電子装置はＨＤＤに限定されず、機械的可動部分を有する機器であれば、例えば光ディスクドライブなど、各種電子装置についても同様に適用することができる。
【００４２】
また、上述した実施形態では、振動検知センサ２により電子装置の動作状態を検知することとして説明したが、出力信号に増幅器を経由させる必要のある微小出力のセンサであればこのものに限定されず、本発明は同様に適用することができ、上述した実施形態と同様の効果を得ることができる。
【符号の説明】
【００４３】
１    ＨＤＤ
２    振動検知センサ
３    中継基板
３１    雄型コネクタ
３２    雌型コネクタ
３３    センサ接続ケーブル
３４    増幅器
３５    ＵＳＢコネクタ
４    ＵＳＢケーブル
５    ＨＤＤ用ケーブル
【図１】
2011118965.tif 000003
【図２】
2011118965.tif 000004
【図３】
2011118965.tif 000005
【図４】
2011118965.tif 000006
【図５】
2011118965.tif 000007